(57)【特許請求の範囲】
【請求項１】
襟部を有する衣服本体と、
襟部に架け渡される架渡部と、
架渡部に取り付けられる加速度センサと、
を備えることを特徴とする飲み込み検出衣服。
【請求項２】
襟部および架渡部の両方または一方に、架渡部が架け渡される位置を調節できる位置調節部を備えることを特徴とする請求項１記載の飲み込み検出衣服。
【発明の詳細な説明】
【技術分野】
【０００１】
本発明は、飲食時の飲み込みを判断する飲み込み検出衣服および飲み込み検出器に関する。
【背景技術】
【０００２】
介護施設等に従事する介護者は、通常複数の被介護者の介護を行う。介護者は、被介護者の食事の介護において、自己が担当する全ての被介護者の食事介護を所定時間内に行う必要があり、個々の被介護者の食事介護を短時間で効率よく行わなければならない。しかしながら、被介護者の飲食物の飲み込み（嚥下）を外見上判断することは熟練の介護士でも困難であることから、介護者は、個々の被介護者に対して食事の介護を効率よく行うことができない。また、被介護者が誤嚥により死にもつながる肺炎を引き起こす可能性があるため、介護者は、被介護者の食事の介護に強い心理負担を感じている。
【０００３】
そのため、被介護者の飲食時における飲み込みを正確に判断することができれば、介護者は、食事の介護の効率を向上させることができ、その心理負担を軽減することができるものと考えられる。さらに、被介護者についても効率よく食事できるので、食事に関する「生活の質」の向上も期待される。
【０００４】
人の飲み込みを判断する方法として、嚥下造影検査がある。嚥下造影検査によれば、被検者の飲み込みや誤嚥の有無を安全に判別することができる。しかしながら、嚥下造影検査は、造影装置のサイズが大きく、その価格も高価であり、しかも造影剤を服用する必要があるとともに、Ｘ線被ばくの問題もあるため、毎回の食事において利用することはできない。
【０００５】
また、特許文献１には、嚥下に関与する複数の筋肉表面に電極を配置して表面筋電図を記録し、嚥下障害を検知する方法が記載されている。しかしながら、この方法は、電極の取り付けに手間がかかり、電極が使い捨てのものである場合には電極のコストが嵩むので、毎回の食事において利用することはできない。
【０００６】
また、上記の方法はいずれも、被介護者に対し、拘束感や不快感を与えてしまうという問題もある。
【先行技術文献】
【特許文献】
【０００７】
【特許文献１】特開２００５−３０４８９０号
【発明の概要】
【発明が解決しようとする課題】
【０００８】
本発明は、被検者の飲食時の飲み込みを検出することができる衣服であって、被検者に不快感等を与えず、容易に使用することができる飲み込み検出衣服および飲み込み検出器を提供することを目的とする。
【課題を解決するための手段】
【０００９】
本発明の飲み込み検出衣服は、襟部を有する衣服本体と、襟部に架け渡される架渡部と、架渡部に取り付けられる加速度センサと、を備える。
【００１０】
本発明の飲み込み検出衣服は、好ましくは、襟部および架渡部の両方または一方に、架渡部が架け渡される位置を調節できる位置調節部を備える。
【００１１】
本発明の検者の飲み込みを検出する飲み込み検出器は、衣服本体の襟部に取り付けられ、頸部の前側に掛け渡される架渡部と、架渡部に取り付けられる加速度センサと、を備える。
【発明の効果】
【００１２】
飲み込み検出衣服および衣服本体に取り付けられた飲み込み検出器は、被検者が容易に装着することができるので、従来の検査等に比べ、手間をかけずに飲み込みの判断資料となる被検者の頸部の加速度データを計測することができる。また、飲み込み検出衣服および衣服本体に取り付けられた飲み込み検出器は、加速度センサにより被検者の前頸筋の加速度を計測するため、筋電計等で計測する場合に比べ、飲み込みの判定に非常に適したデータを取得することができる。
さらに、飲み込み検出衣服および衣服本体に取り付けられた飲み込み検出器は、非侵襲的で拘束性が小さいので、被検者に負担をかけずに加速度データを計測することができる。
【図面の簡単な説明】
【００１３】
【図１】本発明の実施形態の飲み込み検出衣服を示す正面図である。
【図２】本発明の実施形態の飲み込み検出衣服を示す背面図である。
【図３】架渡部および加速度センサを示す正面図である。
【図４】被検者が飲み込み検出衣服を装着した状態を示す正面図である。
【図５】加速度センサの取り付け位置に関する実験の概要を示す図である。
【図６】被検者の飲み込み実験により得られた飲み込み時の加速度データの時系列を示すグラフである。
【図７】（Ａ）は、各測定部位における安静時と飲み込み時の加速度の積分値ｉＡｃｃを示すグラフであり、（Ｂ）は、各測定部位における安静時と飲み込み時の加速度の積分値ｉＡｃｃの比を示すグラフである（*p<0.05，**p<0.01，Sidak法）。
【図８】（Ａ）および（Ｂ）は、それぞれ健常な男性被検者および女性被検者のｘ軸、ｙ軸およびｚ軸における安静時と飲み込み時の加速度の積分値ｉＡｃｃの比を示すグラフである（*p<0.05，**p<0.01，Sidak法）。
【図９】高齢者の飲み込み実験により得られた加速度データおよび筋電値の時系列を示すグラフである。
【図１０】（Ａ）は、各高齢者の安静時の筋電値の積分値ｉＥＭＧの平均値を基準とした安静時と飲み込み時の筋電値の積分値ｉＥＭＧを示すグラフであり、（Ｂ）は、各高齢者の安静時の加速度の積分値ｉＡｃｃの平均値を基準とした安静時と飲み込み時の加速度の積分値ｉＡｃｃを示すグラフである（*p<0.05，**p<0.01，***p<0.001，t検定）。
【図１１】（Ａ）は、全高齢者の安静時の筋電値の積分値ｉＥＭＧの平均値を基準とした飲み込み時の筋電値の積分値ｉＥＭＧを示すグラフであり、（Ｂ）は、全高齢者の安静時の加速度の積分値ｉＡｃｃの平均値を基準とした飲み込み時の加速度の積分値ｉＡｃｃを示すグラフである（**p<0.01，t検定）。
【発明を実施するための形態】
【００１４】
以下において、まず本発明の実施形態の飲み込み検出衣服について説明し、次いで本発明の実施形態の飲み込み検出器について説明する。
以下の説明において、被介護者または患者等の飲み込み検出衣服を着用する者を被検者Ａと言うものとする。また、被介護者または患者等の被検者Ａを介護、看護または検査する者を検者と言うものとする。また、飲み込みのことを嚥下という場合があるものとする。
【００１５】
飲み込み検出衣服は、図１および図２に示すように、衣服本体１０と、架渡部２０と、加速度センサ３０と、を備えている。
【００１６】
衣服本体１０は、布・織物などの素材を平面視して略台形状に形成したものである。衣服本体１０の上部には、頸部を通すための開口部１１が設けられており、開口部１１の周縁が襟部１２となっている。また、開口部１１には、その上部から上方に向かって切り欠かれる切欠部１４が設けられている。切欠部１４の左右に位置する部分は、飲み込み検出衣服を頸部に装着するための装着部１６，１６となっている。左右の装着部１６，１６のうち、一方の前側の面と他方の後側の面には、互いに着脱自在に連結可能な面ファスナ１８，１９が設けられている。
なお、衣服本体１０の形態は、上記形態に限定されるものではなく襟部１２を有するものであればどのようなものであってもよい。また、襟部１２の形態も上記形態に限定されるものではなく、頸部の周りを囲むようなものであればどのような形態であってもよい。また、衣服本体１０の素材は、食べこぼしなどの汚れを落としやすいポリエステル等の合成樹脂製のシートであってもよい。
【００１７】
架渡部２０は、帯状であって、その両面が略前後方向に直交し、かつ、被検者Ａが飲み込み検出衣服を装着した際に、被検者Ａの頸部の前側に位置するように、襟部１２に架け渡されている。
架渡部２０を構成する素材はどのようなものであっても構わないが、伸縮性を有する素材が好ましい。架渡部２０の素材として伸縮糸等で編成した編物等の伸縮性を有する素材を用いると、架渡部２０または加速度センサ３０を容易かつ確実に頸部に当てることができる。
なお、架渡部２０が架け渡される位置および架け渡し方は、被検者Ａが飲み込み検出衣服を装着した際に、架渡部２０が頸部の前で架け渡され、加速度センサ３０が所定の測定部位上に位置するようであれば、どのようなものであってもよい。
【００１８】
加速度センサ３０は、少なくとも１つの軸の加速度を計測できるセンサが用いられている。加速度センサ３０は、加速度の計測軸の一つが略前後方向に平行となるように、接着剤や粘着テープ等の固定手段により、架渡部２０の後側の面の中央部周辺に取り付けられている。加速度センサ３０は、架渡部２０の前側の面に取り付けてもよいが、後側の面に取り付けるほうが、加速度センサ３０を被検者Ａの頸部の皮膚に直接当てることができるので、加速度の検出精度が向上する。
加速度センサ３０は、加速度データをパソコン等の計算機７４に送信するために、有線または無線の通信部を備えるものであってもよい。
【００１９】
飲み込み検出衣服は、架渡部２０が、衣服本体１０の襟部１２において所定の位置に架け渡されて、縫い付けまたは接着等の固定手段により衣服本体１０に固定されるものであってもよいが、襟部１２における架渡部２０の架け渡し位置を調節することができる位置調節部４０，４２を備えるものであってもよい。本実施形態では、位置調節部４０，４２として、衣服本体１０および架渡部２０に面ファスナ４０，４２がそれぞれ設けられている。具体的に説明すると、図２に示すように、衣服本体１０の後側の面のうち襟部１２の左側と右側の部分には、略上下方向に延びる帯状の面ファスナ４０，４０がそれぞれ設けられている。また、図３に示すように、架渡部２０の前側の面のうち左右の端部側には、この面ファスナ４０，４０に着脱自在に連結可能であって、架渡部２０の長手方向に延びる帯状の面ファスナ４２，４２がそれぞれ設けられている。
位置調節部４０，４２によると、衣服本体１０の面ファスナ４０，４０が略上下方向に延びる態様で設けられているので、襟部１２における架渡部２０の掛け渡し位置を上下方向に変えて、架渡部２０を衣服本体１０に取り付けることができる。また、架渡部２０の左右の端部側に架渡部２０の長手方向に延びる帯状の面ファスナ４２，４２が設けられているので、架渡部２０を左右方向にずらして衣服本体１０に取り付けることができる。したがって、飲み込み検出衣服は、位置調節部４０，４２により加速度センサ３０の位置を上下左右に変更することができる。
なお、衣服本体１０の面ファスナ４０，４０は、衣服本体１０の前側の面に設けてもよく、この場合、架渡部２０の面ファスナ４２，４２は、架渡部２０の後側の面に設ける。
また、位置調節部４０，４２は、面ファスナ４０，４２以外のものであってもよく、加速度センサ３０の位置を上下左右に変えるため、襟部１２における架渡部２０の架け渡し位置を変えることができるものであればどのようなものであってもよい。例えば、衣服本体１０の面ファスナ４０，４０に代えて、スナップボタンの凹部または凸部を略上下方向に複数設け、架渡部２０の面ファスナ４２，４２に代えて衣服本体１０のスナップボタンに対応するスナップボタンの凸部または凹部を設けてもよい。また、位置調節部４０，４２は、スナップボタンの代わりに、ボタンとボタンホールの組み合わせとしてもよい。
【００２０】
飲み込み検出衣服は、さらに、制御部と、通知部と、を備えるものであってもよい。制御部および通知部は、例えば加速度センサ３０に備えることができる。飲み込み検出衣服に制御部および通知部を備えると、制御部が、計測された加速度と閾値とを比較し、加速度が閾値より大きい場合には、飲み込みがあったものと判断する飲み込み判断処理を行い、飲み込みがあったと判断した場合には通知部で通知するようにすることができる。制御部としては、例えばＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、を有するものを用いることができる。通知部としては、例えばランプ、ブザーまたはモニタ等を用いることができ、なかでも食事や会話の際に邪魔にならないランプが望ましい。なお、制御部および通知部を、必ずしも加速度センサ３０に備える必要はなく、例えば、制御部としてパソコン等の計算機７４を用い、通知部として、モニタ等を用いることもできる。この場合、加速度センサ３０および計算機７４には、加速度データを送受信するために有線または無線の通信部が設けられる。
【００２１】
次に、飲み込み検出衣服の使用方法について説明する。図４は、被検者Ａが飲み込み検出衣服を装着した状態を示す。飲み込み検出衣服は、被検者Ａの頸部を襟部１２に通し、左右の装着部１６，１６をそれぞれの面ファスナ１８，１９で連結して装着する。この際、架渡部２０が頸部の前側に架け渡されるようにするとともに、加速度センサ３０が頸部のうち前頸筋上に位置するように、位置調節部４０，４２により、襟部１２における架渡部２０の架け渡し位置を調節する。このように襟部１２に架渡部２０を架け渡すことにより、加速度センサ３０の計測軸の１つが筋肉の筋繊維の走行方向に略直交する。
ここで、前頸筋とは、舌骨上筋および舌骨下筋の総称である。舌骨上筋とは、顎二腹筋、茎突舌骨筋、顎舌骨筋およびオトガイ舌骨筋の総称であり、舌骨下筋とは、胸骨舌骨筋、肩甲舌骨筋、胸骨甲状筋および甲状舌骨筋の総称である。
加速度センサ３０による計測部位については、前頸筋のうち舌骨下筋がより好ましく、特に、舌骨下筋のうち胸骨舌骨筋上がさらに好ましい。これらの部位上に加速度センサ３０を配置すると、他の部位に比べて、計測される加速度の値が大きくなるので、飲み込みの判定において判定精度が向上する。
【００２２】
本発明の飲み込み検出衣服は、被検者Ａが容易に装着することができるので、従来の検査等に比べ、手間をかけずに飲み込みの判断資料となる被検者Ａの頸部の加速度データを計測することができる。また、本発明の飲み込み検出衣服は、加速度センサ３０により被検者Ａの前頸筋の加速度を計測するため、筋電計等で計測する場合に比べ、飲み込みの判定に非常に適したデータを取得することができる。
また、飲み込み検出衣服は、非侵襲的で拘束性も弱いので、被検者Ａに負担をかけずに加速度データを計測することができる。また、エプロンや前掛けなど食事の際に着用する衣服に取り付けることで、食事中に自然な形で着用することができ、飲み込みを検知されているという感覚を薄めることができる。
【００２３】
また、飲み込み検出衣服は、位置調節部４０，４２を備えることにより、加速度センサ３０の取り付け位置を調整することができるので、頸部のうちデータの取得に好適な部位上に加速度センサ３０を配置することができる。
【００２４】
飲み込み検出衣服は、制御部が加速度センサ３０で計測された加速度データに基づいて飲み込み判断処理を行い、飲み込みがあったことを通知部により通知させることにより、検者が被検者Ａの飲み込みの有無を確実に把握することができるので、一人あたりの食事介護時間を短縮することができ、食事介護の効率化を図ることができる。
【００２５】
次に、飲み込み検出衣服に関して行った実験について説明する。実験は、頸部における加速度センサ３０の好適な取り付け位置を調べる実験と、飲み込み検出衣服を装着した被検者Ａが飲み込みを行う実験を行った。以下、前者、後者の順に説明を行う。図５は前者の実験の概要を示す。
加速度の測定部位は、顎二腹筋（Ｄａｉｇａｓｔｒｉｃ  ｍｕｓｃｌｅ）、胸骨舌骨筋（Ｓｔｅｒｎｏｈｙｏｉｄ  ｍｕｓｃｌｅ）および胸骨甲状筋（Ｓｔｅｒｎｏｔｈｙｒｏｉｄ  ｍｕｓｃｌｅ)の３箇所とした。
加速度の測定には、加速度データを送信可能な加速度センサ３０（ＺＢ−１５５Ｈ，ＺＢ−１５６Ｈ：日本光電工業株式会社製）と、加速度データを受信する受信機７２および計算機７４を有するマルチテレメータシステム７０（ＷＥＢ１０００：日本光電工業株式会社製）と、を用いた。加速度センサ３０は、顎二腹筋には１軸（ｘ軸）の加速度を計測できるＺＢ−１５５Ｈを用い、胸骨舌骨筋および胸骨甲状筋には３軸（ｘ軸、ｙ軸、ｚ軸）の加速度を計測できるＺＢ−１５６Ｈを用いた。加速度センサ３０は、両面テープにより各測定部位上の皮膚の表面に取り付けた。顎二腹筋の加速度センサ３０（ＺＢ−１５５Ｈ）は、加速度の検出軸であるｘ軸がその筋繊維の走行方向と略直交するように取り付けられた。胸骨舌骨筋および胸骨甲状筋の加速度センサ３０（ＺＢ−１５６Ｈ）は、加速度の検出軸であるｘ軸がそれぞれの筋繊維の走行方向と略平行となるようにするとともに、加速度の検出軸であるｚ軸がそれぞれの筋繊維の走行方向と略直交するように取り付けた。各加速度センサ３０で計測された加速度データは、無線で受信機７２に送信され、その加速度データを計算機７４に送信して、計算機７４の記憶装置に記憶させた。加速度データのサンプリング周波数は、１ｋＨｚとした。
被検者Ａは、健常な成人男性６名（２２．３±０．９歳）とした。被検者Ａは、座位で安静状態を保ち、飲料水１０ｍｌを口に含んだ後、検者の指示した時刻にそれを飲み込んだ。このような飲み込みを各被検者Ａに対し５回行った。
【００２６】
図６は、被検者Ａの飲み込み実験により得られた飲み込み時刻の前後１．５秒間の加速度データの時系列を示すグラフである。図６は、上から順に、（Ａ）生データ、（Ｂ）生データにバンドパスフィルタを施したデータおよび（Ｃ）さらに全波整流を行ったデータが示されている。図中の黒帯線は、被検者Ａが飲み込んでいると検者が判断した時間範囲を示す。図６によると、飲み込み時に加速度が大きく変化することがわかる。
【００２７】
次に、加速度データの解析方法について説明する。実験により得られた加速度データの時系列によると、飲み込み時刻の前後に周期的なピークが観測された。そこで、これらのピーク間隔（９１２±１４ｍｓ）が、被検者Ａの心拍数であると判断し、その最大値を閾値とした。そして、加速度データが最初に閾値を越える時刻を飲み込み開始時刻とし、その後加速度データが最後に閾値を下回る時刻を飲み込み終了時刻とした。また、飲み込み開始時刻の１ｍｓ前からの−１ｓ間を安静時とした。
そして、生の加速度データｘｔのうち、上記のように定義された安静時のデータと飲み込み時のデータから以下の（１）式により単位時間当たりの積分値を求めた。
【００２８】
【数１】
0006516356.tif 000002
【００２９】
また、統計的処理として、（１）式より求められた加速度データの単位時間当たりの積分値ｉＡｃｃ（以下、加速度の積分値ｉＡｃｃとする）等に対し、ｔ検定または一元配置分析のSidak法による解析を行った。
【００３０】
図７（Ａ）は、被検者６名より計測された各測定部位における安静時と飲み込み時の加速度データの積分値ｉＡｃｃを示す。これによると、各測定部位における加速度の積分値ｉＡｃｃは、安静時より飲み込み時のほうが有意に大きくなる。また、胸骨舌骨筋の飲み込み時の加速度の積分値ｉＡｃｃは、他の部位のそれより有意に大きくなる。
図７（Ｂ）は、各測定部位における安静時と飲み込み時の加速度の積分値ｉＡｃｃの比を示す。これも図７（Ａ）と同様に、胸骨舌骨筋の値が最も大きく、他の部位に比べ有意に大きくなる。
【００３１】
次に、飲み込み検出衣服を装着した被検者Ａが飲み込みを行う実験について説明する。実験に用いた飲み込み検出衣服は、上記実施形態のものである。
被検者Ａの対象は、若年者と高齢者とした。若年者は、健常な成人男性１０名（２２．１±０．９歳）と健常な成人女性１０名（２１．２±０．４歳）とした。高齢者は、要介護高齢者（男性１名、女性３名、８３．０±５．６歳、要介護４．８±０．５）とした。
飲み込み検出衣服は、加速度センサ３０が、胸骨舌骨筋上の皮膚の表面において、加速度の検出軸であるｘ軸がそれぞれの筋繊維の走行方向と略平行となるようにするとともに、加速度の検出軸であるｚ軸がそれぞれの筋繊維の走行方向と略直交するように被検者Ａに装着された。
高齢者に対しては、飲み込み検出衣服による計測に加えて、筋電計（ＺＢ−１５０Ｈ、日本光電工業株式会社製）による計測も行った。筋電計は、顎二腹筋上の皮膚の表面において筋繊維の走行方向と略直角となるように装着した。
被検者Ａが飲み込むものは、飲料水に代えてゼリー状のお茶とし、検者がこれを被検者Ａの口に運んだ。検者は、被検者Ａが飲み込んだと判断した場合には、フットスイッチ７６により計算機７４にタイムスタンプを入力した。また、被検者Ａの飲み込みを観察するためビデオ撮影を行った。
【００３２】
若年者の安静時と飲み込み時の判断については、上記加速度センサ３０の取り付け位置に関する実験と同じ方法により判断した。高齢者の安静時と飲み込み時の判断については、高齢者から計測される加速度データには上述のような心拍動が見受けられないため、お茶を飲み込むときに計測される加速度データの振幅の半分以下の振幅となる範囲を安静時とし、検者がタイムスタンプを入力した時刻と検者がビデオ映像から推定した飲み込みの時間範囲を飲み込み時と再定義した。
【００３３】
若年者の加速度データの積分値ｉＡｃｃは、上記加速度センサ３０の取り付け位置に関する実験と同様の方法で（１）式より求める。
高齢者の加速度データの積分値ｉＡｃｃは、上記により再定義された高齢者の安静時のデータと飲み込み時のデータから（１）式により求める。
また、筋電計で得られた生のデータＥｔのうち上記により再定義された高齢者の安静時のデータと飲み込み時のデータから、以下の（２）式によりそれぞれの単位時間当たりの積分値を求める。
【００３４】
【数２】
0006516356.tif 000003
【００３５】
図８（Ａ）および図８（Ｂ）は、それぞれ健常な男性被検者および女性被検者の安静時と飲み込み時のｘ軸、ｙ軸およびｚ軸における加速度の積分値ｉＡｃｃの比を示す。これによると、加速度の積分値ｉＡｃｃの比は、男女いずれも安静時より飲み込み時のほうが有意に大きくなる。また、加速度の積分値ｉＡｃｃの比は、男女問わず、ｚ軸の加速度が、他の軸より有意に大きくなる。
【００３６】
図９は、高齢者の典型的な飲み込み時の加速度データおよび筋電値の時系列を示す。図中の凡例において、嚥下はフットスイッチ７６によりタイムスタンプが入力された時間を表す。これによると、筋電値は、タイムスタンプが入力された時刻（嚥下時）だけではなく、その時刻以外においても大きな振幅が計測されており、筋電値から飲み込みの有無を判定することは困難であることがわかる。これに対し、加速度データは、タイムスタンプが入力された時刻に対応して振幅が大きく変化しており、加速度データから飲み込みを判定できることがわかる。
【００３７】
図１０（Ａ）は、各高齢者の安静時の筋電値の積分値ｉＥＭＧの平均値を基準とした飲み込み時の筋電値の積分値ｉＥＭＧを示す。図１０（Ｂ）は、各高齢者の安静時の加速度の積分値ｉＡｃｃの平均値を基準とした飲み込み時の加速度の積分値ｉＡｃｃを示す。筋電値の積分値ｉＥＭＧによると、安静時よりも飲み込み時のほうが有意に大きくなるのは、被検者４名のうち２名だけである。一方、加速度の積分値ｉＡｃｃによると、被検者４名全てにおいて安静時よりも飲み込み時の方が、有意に値が大きくなる。
【００３８】
図１１（Ａ）は、全高齢者の安静時の筋電値の積分値ｉＥＭＧの平均値を基準とした飲み込み時の筋電値の積分値ｉＥＭＧを示す。図１１（Ｂ）は、全高齢者の安静時の加速度の積分値ｉＡｃｃの平均値を基準とした飲み込み時の加速度の積分値ｉＡｃｃを示す。これらによると、筋電値の積分値ｉＥＭＧは、安静時と飲み込み時において値に有意な差はなかったが、加速度の積分値ｉＡｃｃは、安静時より飲み込み時の方が、値が有意に大きくなる。
【００３９】
次に、本発明の実施形態の飲み込み検出器について説明する。飲み込み検出器は、図１〜図３に示すように、衣服（衣服本体１０）の襟部１２に取り付けられ、頸部の前側に掛け渡される架渡部２０と、架渡部２０に取り付けられる加速度センサ３０と、を備えている。
架渡部２０は、上記飲み込み検出衣服のものと同じであるため、ここでは具体的な説明を省略する。架渡部２０には、必要に応じて面ファスナ４２等の位置調節部４２が備えられる。
加速度センサ３０も上記飲み込み検出衣服のものと同じであるため、ここでは具体的な説明を省略する。加速度センサ３０は、架渡部２０が襟部１２に架け渡された衣服を被検者が着用する際、被検者の頸部の前頸筋上に位置し、かつ、加速度センサ３０の計測軸の一つが略前後方向に平行となるように、接着剤や粘着テープ等の固定手段により架渡部２０に取り付けられている。
架渡部２０は、上記衣服本体１０等の衣服の襟部１２において所定の位置に架け渡された状態で、縫い付けまたは接着等の固定手段により衣服に固定して使用してもよいし、架渡部２０および衣服に備えた位置調節部４０，４２により固定して使用してもよい。
衣服の襟部１２に架け渡した飲み込み検出器の使用方法および効果については、上記飲み込み検出衣服の使用方法と同じであるため、ここでは説明を省略する。
【００４０】
以上に示した本発明の飲み込み検出衣服および飲み込み検出器は、上記実施形態の構成に特に限定されるものではなく、本発明の要旨の範囲内において適宜変更可能である。
また、本発明の飲み込み検出衣服および飲み込み検出器は、人に限らず、他の動物に適用することもできる。
【符号の説明】
【００４１】
１０    衣服本体
１１    開口部
１２    襟部
１４    切欠部
１６    装着部
１８，１９    面ファスナ
２０    架渡部
３０    加速度センサ
４０，４２    面ファスナ（位置調節部）
７０    マルチテレメータシステム
７２    受信機
７４    計算機
７６    フットスイッチ
Ａ    被検者
【図１】
0006516356.tif 000004
【図２】
0006516356.tif 000005
【図３】
0006516356.tif 000006
【図４】
0006516356.tif 000007
【図５】
0006516356.tif 000008
【図６】
0006516356.tif 000009
【図７】
0006516356.tif 000010
【図８】
0006516356.tif 000011
【図９】
0006516356.tif 000012
【図１０】
0006516356.tif 000013
【図１１】
0006516356.tif 000014